(57)【要約】【課題】  本発明は、ファクシミリ装置から発呼された場合、ファクシミリ装置から送信されるデータを受信することなくファクシミリ装置のリダイヤルを受信側で停止させることができる電話機を提供することを目的とする。【解決手段】  本発明の電話機は、発呼側装置からのリダイヤルを禁止させるリダイヤル禁止指示を受け付けるリダイヤル禁止スイッチと、リダイヤル禁止スイッチが操作されるリダイヤル禁止信号を発呼側装置に送信するリダイヤル禁止信号送信手段を備える。【選択図】  図１
2007053645.tif 000002
【特許請求の範囲】
【請求項１】
発呼側装置からのリダイヤルを禁止させるリダイヤル禁止指示を受け付けるリダイヤル禁止スイッチと、
リダイヤル禁止スイッチが操作されるリダイヤル禁止信号を発呼側装置に送信するリダイヤル禁止信号送信手段を備えたことを特徴とする電話機。
【請求項２】
上記リダイヤル禁止信号は、ＤＣＮ信号である請求項１に記載の電話機。
【請求項３】
リダイヤル禁止信号が送信される際の波形を記憶する波形記憶手段と、
上記リダイヤル禁止スイッチが操作されると、上記記憶された波形からリダイヤル禁止信号を発生させるリダイヤル禁止信号発生手段とを備え、
上記リダイヤル禁止信号送信手段は、上記リダイヤル禁止信号発生手段が発生させたリダイヤル禁止信号を送信する請求項１に記載の電話機。
【発明の詳細な説明】
【技術分野】
【０００１】
本発明は、電話機に関し、特に、発呼側装置のリダイヤルを停止させる電話機に関する。
【背景技術】
【０００２】
ＦＡＸ番号の入力ミスによりファクシミリ装置から電話機に発呼される場合がある。電話機は、ファクシミリ装置から発呼があった場合も、電話機から発呼があった場合と同じようにリンガ音を発生させる。リンガ音が発生すると電話機のユーザはハンドセットを取り上げ、ハンドセットの受話口からファクシミリ装置の発信音が聞こえた場合は、ハンドセットを置いて回線を切断する。
【０００３】
ファクシミリ装置には、通信相手と正常な通信が行えなかった場合、リダイヤルをする機能を備えている。そのため、上記のように電話機側で回線が切断されても電話機が何度も発呼される。
【０００４】
このようなリダイヤルを防止するための技術が特開２００１−７８００３号公報に記載されている。上記公報に記載の技術は、受信側装置は、ファクシミリ装置からの発呼があると、ファクシミリのプロトコルに沿ってファクシミリ装置との通信を行って、ファクシミリ装置から送信されるデータを受信して正常な通信を行う。受信側装置はファクシミリ装置の本来の通信相手ではないが、受信側装置がファクシミリ装置と正常な通信を行うことで、上記公報の技術ではファクシミリ装置のリダイヤルを防いでいる。
【特許文献１】特開２００１−７８００３号公報
【発明の開示】
【発明が解決しようとする課題】
【０００５】
しかし、上記公報の技術では、本来の通信相手でない受信側装置がデータを受信してしまうのでデータの機密性の観点から好ましくない。
【０００６】
そこで、本発明は、ファクシミリ装置から発呼された場合、ファクシミリ装置から送信されるデータを受信することなくファクシミリ装置のリダイヤルを受信側で停止させることができる電話機を提供することを目的とする。
【課題を解決するための手段】
【０００７】
本発明の電話機は、発呼側装置からのリダイヤルを禁止させるリダイヤル禁止指示を受け付けるリダイヤル禁止スイッチと、リダイヤル禁止スイッチが操作されると、リダイヤルの禁止を指示するリダイヤル禁止信号を上記発呼側装置に送信するリダイヤル禁止信号送信手段とを備える。
【０００８】
ユーザは、受話器を取り上げてファクシミリ装置からの発呼であることに気付いた場合は、リダイヤル禁止スイッチを操作して、発呼側装置であるファクシミリ装置にリダイヤル禁止信号を送信する。ファクシミリ装置はリダイヤル禁止スイッチを受信すると、その場で回線を切断しその後リダイヤルすることなく通信を終了させる。
【０００９】
ファクシミリ装置は、通常ファクシミリ通信のプロトコルで定められたＤＣＮ信号（切断要求信号）を受信するとその場で回線を切断しその後リダイヤルすることなく通信を終了するので、上記リダイヤル禁止信号にはＤＣＮ信号を用いることができる。ＤＣＮ信号を用いれば、ファクシミリの仕様を改変することなくスイッチ操作に応じてリダイヤルの発生を防止することができる。
【００１０】
構成を複雑化させることなくユーザのスイッチ操作に応じてリダイヤル禁止信号を送信できるように、本発明の電話機は、リダイヤル禁止信号が送信される際の波形を記憶する波形記憶手段と、上記リダイヤル禁止スイッチが操作されると、上記記憶された波形からリダイヤル禁止信号を発生させるリダイヤル禁止信号発生手段とを備えるようにしてもよい。
【発明の効果】
【００１１】
本発明によれば、ファクシミリ装置から発呼された場合、ファクシミリ装置から送信されるデータを受信することなくファクシミリ装置のリダイヤルを受信側で停止させることができる。
【発明を実施するための最良の形態】
【００１２】
本実施の形態では、図１に示すように、電話機１００は公衆回線１７０を介してファクシミリ装置１８０、１９０と接続されている。
【００１３】
電話機１００は、プッシュ方式が採用されており、０〜９、＃、＊などに対応したＤＴＭＦ（Dial Tone Multi Frequency）信号を発生させるＤＴＭＦ信号発生手段１０１を備えている。電話機１００は、ＤＴＭＦ信号や送話器１０２が生成した音声データを公衆回線１７０に送出したり、公衆回線１７０からの音声データを受話器１０３に転送したりする回線制御手段１０４を備えている。
【００１４】
電話機１００のハンドセット１２０には、通信相手側の装置に対してＤＣＮ信号（切断要求信号）を発生させるためのリダイヤル禁止スイッチ１０５を備えている。リダイヤル禁止スイッチ１０５が押下されると、リダイヤル禁止信号発生手段１０６によってＤＣＮ信号が発生する。
【００１５】
ＤＣＮ信号が送信される際の波形は波形記憶手段１０７に予め記憶されており、本実施の形態では、リダイヤル禁止信号発生手段１０６は、波形記憶手段１０７に記憶された波形のＤＣＮ信号を発生させる。リダイヤル禁止信号発生手段１０６が発生させたＤＣＮ信号は、リダイヤル禁止信号送信手段１０８によって、送話器１０２と回線制御手段１０４を接続する送話線１０９に送出され、送話線１０９から回線制御手段１０４を介して公衆回線１７０を通って通信相手側の装置に送信される。
【００１６】
ファクシミリ装置１９０は、発呼先のファクシミリ番号をユーザが入力する操作パネル１９１と、ファクシミリ番号が入力されたファクシミリ装置とファクシミリ通信を行う通信手段１９２を備えている。通信手段１９２は、操作パネル１９１よりファクシミリ番号が入力されると、発呼回数（１回）と入力されたファクシミリ番号とをメモリ１９３に記憶してファクシミリ番号が入力されたファクシミリ装置に対して発呼を行う。
【００１７】
通信手段１９２は、通信エラーの発生がなく正常に通信が行えた場合、メモリ１９３に記憶した電話番号と発呼回数をクリアする。ここでの通信エラーとは、例えば、発呼先との回線が接続できないことや、データを正常に受信した旨の信号が発呼先から送信されることなく回線が切断されることである。
【００１８】
一方、通信手段１９２は、通信エラーが発生した場合、メモリ１９３に記憶されたファクシミリ番号や発呼回数をクリアせず、所定時間経過後にメモリ１９３にファクシミリ番号が記憶されているか否かを確認する。ファクシミリ番号が記憶されている場合は、このファクシミリ番号の通信相手に対して再発呼（リダイヤル）を行う。通信手段１９２は、通信エラーの発生から所定時間経過すると、メモリ１９３にファクシミリ番号が記憶されたファクシミリに対して再発呼（リダイヤル）を行う。リダイヤルする場合、通信手段１９２は、メモリ１９３に記憶された発呼回数をインクリメントする。
【００１９】
通信手段１９２が行うリダイヤルの回数は予め上限が設定されている。通信手段１９２は、インクリメントの結果発呼回数が上限を超えると、メモリ１９３に記憶させたファクシミリ番号と発呼回数をクリアする。また、通信手段１９２は、ＤＣＮ信号（切断要求信号）を受信した場合も、メモリ１９３に記憶させたファクシミリ番号と発呼回数をクリアする。
【００２０】
ファクシミリ装置１９０のユーザが、他のファクシミリ装置１８０にデータを送信するためにファクシミリ番号の入力をファクシミリ装置１９０に行ったとする。ユーザは、この入力の際に入力操作を誤って、ファクシミリ装置１８０のファクシミリ番号と異なる番号を入力する場合がある。入力操作のミスにより入力した番号が、電話機１００の電話番号と偶然に一致することが考えられる。
【００２１】
電話機１００の電話番号がファクシミリ装置１９０に入力されると、ファクシミリ装置１９０の通信手段１９２は、発呼回数（１回）と入力された電話機１００の電話番号とをメモリ１９３に記憶して電話機１００に対して発呼を行う。
【００２２】
ファクシミリ装置１９０から電話機１００に発呼がされると、電話機１００に備えられたリンガ音発生手段１１０はリンガ音を発生させる。
【００２３】
リンガ音が発生すると、電話機１００のユーザは、電話機１００のハンドセット１２０を取り上げて、電話に出る。ここでの発呼は、ファクシミリ装置１９０からのものであるので受話口からはファクシミリ装置１９０の発信音が流れる。ファクシミリ装置１９０の発信音が流れると、ユーザはファクシミリ装置１９０のリダイヤルを禁止させるために、リダイヤル禁止スイッチ１０５を押下する。
【００２４】
リダイヤル禁止スイッチ１０５が押下されると、リダイヤル禁止信号発生手段は、上記したようにＤＣＮ信号を発生させ、送話線１０９、回線制御手段１０４、公衆回線１８０を介してファクシミリ装置１９０にＤＣＮ信号が送信される。
【００２５】
ファクシミリ装置１９０は、ＤＣＮ信号を受信すると、電話機１００との回線を切断し、メモリ１９３に記憶した電話機１００の電話番号と発呼回数をクリアする。
【００２６】
以上のように、リダイヤル禁止スイッチ１０５を押下することで、ＤＣＮ信号が発行され、メモリ１９３から電話機１００の電話番号がクリアされることで、電話機１００側でファクシミリ装置１９０のリダイヤルを防ぐことができる。
【００２７】
また、リダイヤル禁止スイッチ１０５を押下するだけでリダイヤルされることを防ぐことができるので、ファクシミリ装置１９０から送信されるデータを受信せずにリダイヤルされることを防ぐ事ができる。
【図面の簡単な説明】
【００２８】
【図１】本実施の形態の電話機とファクシミリ装置の機能ブロック図。
【符号の説明】
【００２９】
１００  電話機
１０１  ＤＴＭＦ発生器
１０２  送話器
１０３  受話器
１０４  回線制御手段
１０５  リダイヤル禁止スイッチ
１０６  リダイヤル禁止信号発生手段
１０７  波形記憶手段
１０８  リダイヤル禁止信号送信手段
１０９  送話線
１１０  リンガ音発生手段
【図１】
2007053645.tif 000003